【手続補正書】
【提出日】平成24年3月26日(2012.3.26)
【手続補正１】
【補正対象書類名】明細書
【補正対象項目名】０００２
【補正方法】変更
【補正の内容】
【０００２】
一般に、抵抗膜型として知られるタッチパネルは、間隙を設けて対向配置された押圧側の基板及び裏側の基板の対向する面に、それぞれ押圧側抵抗膜と裏側抵抗膜とを設けた構成を有する。押圧側基板が、押圧側抵抗膜が形成されている面と反対側の面側から押圧されて撓むと、押圧側抵抗膜と裏側抵抗膜とが局部的に接触する。その結果、押圧側抵抗膜と裏側抵抗膜とは、その接触点において電気的に導通する。抵抗膜型のタッチパネルでは、押圧側抵抗膜の両端と裏側抵抗膜の両端とに交互に電圧を印加し、前記接触点における導通に基づき、当該接触点の位置を検出する。
【手続補正２】
【補正対象書類名】明細書
【補正対象項目名】０００８
【補正方法】変更
【補正の内容】
【０００８】
前記目的を果たすため、本発明のタッチパネルの一態様は、第１の透明基板と、前記第１の透明基板と対峙する第２の透明基板と、前記第１の透明基板の前記第２の透明基板に対向する側の面と前記第２の透明基板の前記第１の透明基板に対向する側の面とのうちの何れか一方である突起形成面に形成されている突起部と、前記突起部を覆うように前記突起形成面に形成されている第１の抵抗膜と、前記第１の透明基板及び前記第２の透明基板のうち前記突起形成面を有しない基板の前記突起形成面と対向する面である突起対向面に形成されている第２の抵抗膜と、前記第1の抵抗膜の一部であり前記突起部の頂部を含む領域である第１の接点領域と前記第２の抵抗膜の一部であり前記第１の接点領域と対峙する領域である第２の接点領域との間の距離を、前記第１の透明基板が押圧されていないときには間隙を有するように、且つ、前記第１の透明基板が押圧されたときには前記第１の接点領域と前記第２の接点領域とが接触するように、一定距離に規定する絶縁性のスペーサと、前記第１の透明基板と前記第２の透明基板とを全周にわたって貼り合わせる枠状のシール材と、前記第１の透明基板と前記第２の透明基板と前記シール材とに囲まれた間隙に封入された絶縁性液体と、を具備し、前記第１の透明基板及び前記第２の透明基板のうちの少なくとも一方の面上には該第１の抵抗膜又は該第２の抵抗膜が形成されていない空白領域が存在し、前記空白領域は、前記第１の接点領域及び前記第２の接点領域ではなく、前記第１の抵抗膜及び前記第２の抵抗膜のうちの少なくとも一方に囲まれている領域である、ことを特徴とする。
【手続補正３】
【補正対象書類名】明細書
【補正対象項目名】００１１
【補正方法】変更
【補正の内容】
【００１１】
本発明の一実施形態について図面を参照して説明する。図１にその側面図を示す通り、本実施形態に係るタッチパネルを有するタッチパネル付き表示装置は、画像を表示する表示パネル１と、この表示パネル１の観察側に配置された抵抗膜型のタッチパネル１０と、を含む。
【手続補正４】
【補正対象書類名】明細書
【補正対象項目名】００１２
【補正方法】変更
【補正の内容】
【００１２】
前記表示パネル１は、例えば液晶表示パネルである。表示パネル１は、予め定めた間隙を設けて対向配置され、周縁部において枠状のシール材４を介して接合された観察側透明基板２と裏面側基板３とを有する。観察側透明基板２の裏面側基板３と対抗する面には、図示しない透明共通電極が形成されており、裏面側基板３の観察側透明基板２と対向する面には、図示しない複数の画素を形成する透明電極が設けられている。観察側透明基板２及び裏面側基板３の間隙であり、シール材４により囲まれた領域には、図示しない液晶が封入されている。また、表示パネル１は、観察側透明基板２及び裏面側基板３のそれぞれ外面に配置された観察側偏光板５及び裏面側偏光板６を備える。
【手続補正５】
【補正対象書類名】明細書
【補正対象項目名】００１３
【補正方法】変更
【補正の内容】
【００１３】
尚、この液晶表示パネルは、ツイストネマティック型、スーパーツイストネマティック型、非ツイストのホモジニアス型、垂直配向型、ベンド配向型、強誘電性又は反強誘電性液晶表示パネルのいずれでもよい。また、一対の基板の対向する面にそれぞれ複数の画素を形成するための電極を設けたものに限らず、一対の基板のいずれか一方の面に、複数の画素を形成するための第１の電極と、前記第１の電極と絶縁して形成された複数の細長電極部を有する第２の電極とを設け、これらの電極間に横電界（基板面に沿う方向の電界）を生じさせて液晶分子の配向状態を変化させる横電界制御型のものでもよい。更に、前記表示パネル１は、液晶表示パネルに限らず、有機ＥＬ（エレクトロルミネッセンス）表示パネル等でもよい。
【手続補正６】
【補正対象書類名】明細書
【補正対象項目名】００１６
【補正方法】変更
【補正の内容】
【００１６】
図２にその断面を示す通り、タッチパネル１０の裏面側透明基板１２の探知側透明基板１１と対向する面には、第２の抵抗膜としての裏面側抵抗膜１４が形成されている。探知側透明基板１１の裏面側透明基板１２と対向する面には、平面内の直交する２方向に間隔Ｐ１で複数列並ぶ、透明な絶縁体からなる突起部１５が形成されている。この突起部１５の高さ（図２における上下方向長さ）は、複数ある突起部１５で全て等しい。探知側透明基板１１上には、突起部１５を覆い、第1の抵抗膜としての探知側抵抗膜１３が形成されている。探知側抵抗膜１３及び裏面側抵抗膜１４は、タッチ入力を行なうためのタッチエリアよりも広い範囲に形成されている。尚、図においては省略しているが、探知側透明基板１１及び裏面側透明基板１２の対向する面は、その全体にＳｉＯ２膜が成膜されており、ＳｉＯ２膜上に探知側抵抗膜１３及び裏面側抵抗膜１４が形成されている。また、探知側抵抗膜１３及び裏面側抵抗膜１４は、例えば、酸化インジウム錫（ＩＴＯ）より成る。
【手続補正７】
【補正対象書類名】明細書
【補正対象項目名】００１７
【補正方法】変更
【補正の内容】
【００１７】
更に、間隔Ｐ２毎に、探知側透明基板１１上の突起部１５が形成されず、代わりにその位置に探知側抵抗膜１３上に透明な絶縁性スペーサ１７が形成されている。複数の絶縁性スペーサ１７の高さ（図２における上下方向長さ）は全て等しい。ここで、絶縁性スペーサ１７の高さは、突起部１５の高さよりも高い。従って、探知側透明基板１１と裏面側透明基板１２を、探知側抵抗膜１３と裏面側抵抗膜１４とが対向する様に重ね合わせると、絶縁性スペーサ１７の頂部と裏面側抵抗膜１４とは接触し、これら２枚の基板が平行に規定される。また、裏面側抵抗膜１４と突起部１５の頂部の上に形成された探知側抵抗膜１３との間には、突起部１５の高さと絶縁性スペーサ１７の高さの差に応じたギャップΔｄが形成されている。ここでギャップΔｄは、例えば１μｍ程度である。後に詳述する様に、前記探知側透明基板１１及び裏面側透明基板１２は、これら基板の全周にわたり枠状に塗布されたシール材によって貼り合わされている。探知側抵抗膜１３、裏面側抵抗膜１４、及び前記シール材に囲まれて形成された空間には、絶縁性液体２８が満たされている。
【手続補正８】
【補正対象書類名】明細書
【補正対象項目名】００２０
【補正方法】変更
【補正の内容】
【００２０】
突起部１５及び絶縁性スペーサ１７の頂部は、円形状であり、前記頂部の面は探知側透明基板１１と平行である。突起部１５の基部の直径は、例えば、１５μｍ又は３０μｍであり、突起部１５の高さは、例えば、２．０μｍである。絶縁性スペーサ１７の基部の直径は、例えば、３０μｍであり、絶縁性スペーサ１７の高さは、例えば、２．５μｍ、３
．０μｍ、４．０μｍのいずれかである。
【手続補正９】
【補正対象書類名】明細書
【補正対象項目名】００２２
【補正方法】変更
【補正の内容】
【００２２】
図３においては、簡単のため左右方向及び上下方向に絶縁性スペーサ１７と絶縁性スペーサ１７との間には突起部１５が５つある構成として表現してあるが、Ｐ１＝０．０５ｍｍ、Ｐ２＝２ｍｍの場合は、３９個の突起部１５に対して１つの絶縁性スペーサ１７が配置され、Ｐ１＝０．２ｍｍ、Ｐ２＝４ｍｍの場合は、１９個の突起部１５に対して１つの絶縁性スペーサ１７が配置される。
【手続補正１０】
【補正対象書類名】明細書
【補正対象項目名】００２３
【補正方法】変更
【補正の内容】
【００２３】
当該タッチパネル１０は、探知側透明基板１１側から押圧されると、探知側透明基板１１が撓み、突起部１５の頂部の探知側抵抗膜１３は、裏面側透明基板１２上の裏面側抵抗膜１４に接触する。その結果、探知側抵抗膜１３と裏面側抵抗膜１４とは、接触部分で電気的に導通する。当該タッチパネル１０は、この電気的導通に基づいて、後に詳述するようにして、押圧された位置を検出する。
【手続補正１１】
【補正対象書類名】明細書
【補正対象項目名】００２６
【補正方法】変更
【補正の内容】
【００２６】
上端電極１９ａ、下端電極１９ｂ、左端電極１８ａ、及び右端電極１８ｂは、それぞれ上端電極取回し配線２３ａ、下端電極取回し配線２３ｂ、左端電極取回し配線２２ａ、及び右端電極取回し配線２２ｂを介して、それぞれ上端電極駆動回路接続端子２１ａ、下端電極駆動回路接続端子２１ｂ、左端電極駆動回路接続端子２０ａ、及び右端電極駆動回路接続端子２０ｂに接続されている。この上端電極駆動回路接続端子２１ａ、下端電極駆動回路接続端子２１ｂ、左端電極駆動回路接続端子２０ａ、及び右端電極駆動回路接続端子２０ｂは、裏面側透明基板１２の、探知側透明基板１１と貼り合せたときに外側に張出す張出部１２ａに設けられ、後述のタッチパネル駆動回路に接続するための端子である。
【手続補正１２】
【補正対象書類名】明細書
【補正対象項目名】００３１
【補正方法】変更
【補正の内容】
【００３１】
探知側透明基板１１上の探知側抵抗膜１３は、そのＸ軸方向の両端の辺部がシール材２４と重なるように位置している。探知側抵抗膜１３のＹ軸方向の両端の辺部はシール材２４が存在するシール部よりも内側（タッチエリア２９側）に位置している。また、探知側抵抗膜１３のＸ軸方向の両端の辺部にそれぞれ対向する左端電極１８ａ及び右端電極１８ｂは、前記シール部に設けられている。この位置関係により、図５（ｂ）に示す通り、探知側抵抗膜１３のＸ軸方向の両端の辺部は、左端電極１８ａ及び右端電極１８ｂと、シール材２４中の導電性粒子２５を介して電気的に接続されている。
【手続補正１３】
【補正対象書類名】明細書
【補正対象項目名】００３２
【補正方法】変更
【補正の内容】
【００３２】
前記説明では、導電性粒子２５は球形の粒子として説明したが、絶縁性スペーサ１７の高さに相当する高さを有する柱状の導電性部材に代えても良い。この場合、探知側抵抗膜１３のＸ軸方向の両端の辺部と、左端電極１８ａ及び右端電極１８ｂとが電気的に接続するように、当該柱状の導電性部材は、探知側抵抗膜１３のＸ軸方向の両端の辺部と、左端電極１８ａ及び右端電極１８ｂとのうち何れかに形成される。
【手続補正１４】
【補正対象書類名】明細書
【補正対象項目名】００３５
【補正方法】変更
【補正の内容】
【００３５】
前記絶縁性液体２８は、探知側透明基板１１、裏面側透明基板１２、探知側抵抗膜１３
、及び裏面側抵抗膜１４との光の屈折率の差が小さい透明な液体である。この屈折率の差は、例えば０．１以下であることが望ましい。例えば、探知側透明基板１１、裏面側透明基板１２、探知側抵抗膜１３、及び裏面側抵抗膜１４の屈折率は約１．５であり、前記絶縁性液体２８の屈折率は、約１．４〜１．５の範囲である。
【手続補正１５】
【補正対象書類名】明細書
【補正対象項目名】００３９
【補正方法】変更
【補正の内容】
【００３９】
ここで、仮に探知側抵抗膜１３及び裏面側抵抗膜１４が全面に形成されているとした場合の、探知側抵抗膜１３の形状並びに突起部１５及び絶縁性スペーサ１７の平面上の位置の関係を図６（ａ）に、図６（ａ）中のｂ−ｂ’で示した部分の当該タッチパネルの断面図を図６（ｂ）に示す。図６の様な構成の場合、図７に示す様に、探知側透明基板１１と裏面側透明基板１２との間に導電性の異物５０が存在すると、その部分で探知側抵抗膜１３と裏面側抵抗膜１４とが電気的に短絡し、その短絡位置で押圧が成されたと誤検出される。また、探知側抵抗膜１３及び裏面側抵抗膜１４は、後述する位置検出の原理のため、その分解能を向上させるためには抵抗値を比較的に高くする必要がある。このため、それら抵抗膜として例えばＩＴＯ膜を用いると、その膜厚を百Å以下とする必要がある場合がある。この様に膜厚を極めて薄くすると、製造工程中やタッチパネル使用時に、探知側抵抗膜１３又は裏面側抵抗膜１４が破損する可能性がある。
【手続補正１６】
【補正対象書類名】明細書
【補正対象項目名】００４３
【補正方法】変更
【補正の内容】
【００４３】
図８（ａ）に示した例では、探知側抵抗膜１３は、格子状であり、その格子の交点に突起部１５及び絶縁性スペーサ１７が位置し、探知側抵抗膜１３中に正方形の空白領域が存在する構成となっている。しかしこの様な構成に限定されず、空白領域は、例えば図１０に示す様に多角形とすることができる。また、図１１に示す様に円形など曲線を有する形状とすることもできる。また、図１２に示す様に、突起部１５及び絶縁性スペーサ１７は、上下方向及び左右方向に並ばずに、上下方向には互い違いとなる位置に並び、三角形の空白領域を有するようにしても良い。この空白領域の三角形は正三角形でもよい。更に、突起部１５及び絶縁性スペーサ１７は、探知側抵抗膜１３の格子形状の交点以外の位置、例えば図１３に一例を示す通り、探知側抵抗膜１３が形成される位置であればどの様な位置にあっても良い。何れの場合においても、誤検出がされる確率は低くなり、探知側抵抗膜１３又は裏面側抵抗膜１４が破損する確率を減少させるという効果が得られる。
【手続補正１７】
【補正対象書類名】明細書
【補正対象項目名】００４５
【補正方法】変更
【補正の内容】
【００４５】
次に、本実施形態に係るタッチパネル１０の動作について説明する。タッチパネル１０は、探知側透明基板１１側から、指先３０等によって押圧されると、図１４に示す通り、探知側透明基板１１が、裏面側透明基板１２側に撓む。すると、当該撓み部に存在する突起部１５の頂部の探知側抵抗膜１３と、裏面側透明基板１２上の裏面側抵抗膜１４とが接触する。その結果、探知側抵抗膜１３と裏面側抵抗膜１４とが接触した部分において電気的に導通する。尚、図１４においては、簡単のため突起部１５等の縮尺が実際と異なり大きく強調されており、指先によって探知側透明基板１１側から押圧される事で、１つの突起部１５上の探知側抵抗膜１３と裏面側抵抗膜１４とが接触する図となっているが、複数の突起部１５上の探知側抵抗膜１３と裏面側抵抗膜１４とが接触する場合も、以降の説明は同じである。
【手続補正１８】
【補正対象書類名】明細書
【補正対象項目名】００４６
【補正方法】変更
【補正の内容】
【００４６】
タッチパネル駆動回路３１は、図１５に示す通り、電圧印加回路３２と、電圧測定系４０と、座標検出手段４５とを備えている。電圧印加回路３２は、探知側抵抗膜１３のＸ軸方向の両端間と、裏面側抵抗膜１４のＹ軸方向の両端間とに一定値の電圧を交互に印加する。また、電圧測定系４０は、探知側透明基板１１の撓んだ部分の突起部１５の頂部の探知側抵抗膜１３と裏面側抵抗膜１４とが導通したときに、電圧印加回路３２上の予め定めた点と探知側抵抗膜１３のＸ軸方向の一端または裏面側抵抗膜１４のＹ軸方向の一端との間に生じる電圧を測定する。座標検出手段４５は、電圧測定系４０の測定値に基づいてタッチ点の座標を検出する。
【手続補正１９】
【補正対象書類名】明細書
【補正対象項目名】００６８
【補正方法】変更
【補正の内容】
【００６８】
第１の変形例では、第１の抵抗膜としての探知側抵抗膜１３及び第２の抵抗膜としての裏面側抵抗膜１４の両方が、突起部１５及び絶縁性スペーサ１７が位置する部分を含む領域に格子形状に形成され、空白領域を有するとしたが、本変形例では、第２の抵抗膜としての裏面側抵抗膜１４は、突起部１５及び絶縁性スペーサ１７が位置する部分を含む領域に格子形状に形成され、探知側抵抗膜１３は全面にベタ形成されている。その他の構成は、前記実施形態と同じである。また、第１の変形例の場合と同様に、裏面側抵抗膜１４の形状は種々に変えることができる。
【手続補正２０】
【補正対象書類名】特許請求の範囲
【補正対象項目名】全文
【補正方法】変更
【補正の内容】
【特許請求の範囲】
【請求項１】
第１の透明基板と、
前記第１の透明基板と対峙する第２の透明基板と、
前記第１の透明基板の前記第２の透明基板に対向する側の面と前記第２の透明基板の前記第１の透明基板に対向する側の面とのうちの何れか一方である突起形成面に形成されている突起部と、
前記突起部を覆うように前記突起形成面に形成されている第１の抵抗膜と、
前記第１の透明基板及び前記第２の透明基板のうち前記突起形成面を有しない基板の前記突起形成面と対向する面である突起対向面に形成されている第２の抵抗膜と、
前記第1の抵抗膜の一部であり前記突起部の頂部を含む領域である第１の接点領域と前記第２の抵抗膜の一部であり前記第１の接点領域と対峙する領域である第２の接点領域との間の距離を、前記第１の透明基板が押圧されていないときには間隙を有するように、且つ、前記第１の透明基板が押圧されたときには前記第１の接点領域と前記第２の接点領域とが接触するように、一定距離に規定する絶縁性のスペーサと、
前記第１の透明基板と前記第２の透明基板とを全周にわたって貼り合わせる枠状のシール材と、
前記第１の透明基板と前記第２の透明基板と前記シール材とに囲まれた間隙に封入された絶縁性液体と、
を具備し、
前記第１の透明基板及び前記第２の透明基板のうちの少なくとも一方の面上には該第１の抵抗膜又は該第２の抵抗膜が形成されていない空白領域が存在し、
前記空白領域は、前記第１の接点領域及び前記第２の接点領域ではなく、前記第１の抵抗膜及び前記第２の抵抗膜のうちの少なくとも一方に囲まれている領域である、
ことを特徴とするタッチパネル。
【請求項２】
前記突起部は、前記突起形成面に定義される第１の軸方向と該第１の軸方向と交差する第２の軸方向とに並び、
前記第1の抵抗膜は、
前記第１の接点領域と、
前記第１の軸方向に隣接する第１の接点領域同士を結ぶ線分を含む領域と、
前記第２の軸方向に隣接する第１の接点領域同士を結ぶ線分を含む領域と、
を含む領域に形成されており、
前記第２の抵抗膜は、
前記第２の接点領域と、
前記第１の軸方向に隣接する第２の接点領域同士を結ぶ線分を含む領域と、
前記第２の軸方向に隣接する第２の接点領域同士を結ぶ線分を含む領域と、
を含む領域に形成されている、
ことを特徴とする請求項1に記載のタッチパネル。
【請求項３】
前記突起形成面は前記空白領域を有し、
前記突起対向面は前記空白領域を有さない、
ことを特徴とする請求項１及び請求項２のうちの何れか1項に記載のタッチパネル。
【請求項４】
前記突起対向面は前記空白領域を有し、
前記突起形成面は前記空白領域を有さない、
ことを特徴とする請求項１及び請求項２のうちの何れか1項に記載のタッチパネル。
【請求項５】
前記突起形成面及び前記突起対向面は、共に前記空白領域を有することを特徴とする請求項１及び請求項２のうちの何れか1項に記載のタッチパネル。
【請求項６】
前記空白領域は正方形であることを特徴とする請求項１乃至請求項５のうちの何れか１項に記載のタッチパネル。
【請求項７】
前記空白領域は多角形であることを特徴とする請求項１乃至請求項５のうちの何れか１項に記載のタッチパネル。
【請求項８】
前記空白領域は曲線で囲まれた形状であることを特徴とする請求項１乃至請求項５のうちの何れか１項に記載のタッチパネル。
【請求項９】
前記第１の透明基板は、前記突起形成面を有することを特徴とする請求項１乃至請求項８のうちの何れか１項に記載のタッチパネル。
【請求項１０】
前記第２の透明基板は、前記突起形成面を有することを特徴とする請求項１乃至請求項８のうちの何れか１項に記載のタッチパネル。
【請求項１１】
前記突起部は、前記突起形成面に定義される第１の軸方向と該第１の軸方向と交差する第２の軸方向とに並び、
前記第１の軸方向と前記第２の軸方向とは直交することを特徴とする請求項１乃至請求項１０のうちの何れか１項に記載のタッチパネル。
【請求項１２】
前記突起部は、前記突起形成面に定義される第１の軸方向と該第１の軸方向と交差する第２の軸方向とに並び、
前記第１の軸方向と前記第２の軸方向との成す角は６０度であることを特徴とする請求項１乃至請求項１０のうちの何れか１項に記載のタッチパネル。
【請求項１３】
前記スペーサは、前記第１の抵抗膜と前記第２の抵抗膜とのうちの、何れか一方の面上に形成され、他方の面に当接する柱状スペーサであることを特徴とする請求項１乃至請求項１２のうちの何れか１項に記載のタッチパネル。
【請求項１４】
前記柱状スペーサは、前記第１の抵抗膜の面上に形成されていることを特徴とする請求項１３に記載のタッチパネル。
【請求項１５】
前記柱状スペーサは、前記第２の抵抗膜の面上に形成されていることを特徴とする請求項１３に記載のタッチパネル。
【請求項１６】
前記スペーサは、前記第１の抵抗膜と前記第２の抵抗膜とに挟持された球状スペーサであることを特徴とする請求項１乃至請求項１２のうちの何れか１項に記載のタッチパネル。
【請求項１７】
前記絶縁性液体の屈折率と、前記第１の透明基板の屈折率、前記第２の透明基板の屈折率、前記第１の抵抗膜の屈折率、及び前記第２の抵抗膜の屈折率との差が、全て０．１以下であることを特徴とする請求項１乃至請求項１６のうちの何れか１項に記載のタッチパネル。
【請求項１８】
前記絶縁性液体は、常温で光学的に等方である液晶であることを特徴とする請求項１７に記載のタッチパネル。
【請求項１９】
前記絶縁性液体は、５℃以上の温度においてアイソトロピック相を示す液晶であることを特徴とする請求項１８に記載のタッチパネル。
【請求項２０】
前記絶縁性液体は、沸点が１００℃以上であり、有機物であり、絶縁性であり、液状物質であることを特徴とする請求項１７に記載のタッチパネル。
【請求項２１】
前記絶縁性液体は、沸点が１００℃以上であり、無機物であり、絶縁性であり、液状物質であることを特徴とする請求項１７に記載のタッチパネル。
【請求項２２】
前記突起部は、前記突起形成面に定義される第１の軸方向と該第１の軸方向と交差する第２の軸方向とに並び、
前記第１の透明基板及び前記第２の透明基板のうちの何れか一方である端子形成基板の縁部に形成され、前記第１の抵抗膜の前記第１の軸方向の両端と前記第２の抵抗膜の前記第２の軸方向の両端とにそれぞれ接続する複数の駆動回路接続端子と、
前記複数の駆動回路接続端子に接続するタッチパネル駆動回路と、
を更に具備することを特徴とする請求項１乃至請求項２１のうちの何れか１項に記載のタッチパネル。
【請求項２３】
前記第１の透明基板及び前記第２の透明基板のうちの前記端子形成基板でない方の基板に形成された、前記第１の抵抗膜の前記第１の軸方向の両端及び前記第２の抵抗膜の前記第２の軸方向の両端のうちの何れか一方の両端部とそれぞれ対向する複数の第１の接続電極と、
前記端子形成基板に形成されている前記第１の抵抗膜の前記第１の軸方向の両端及び前記第２の抵抗膜の前記第２の軸方向の両端のうちの何れか一方の両端部にそれぞれ形成されている複数の第２の接続電極と、
前記第１の接続電極及び前記第２の接続電極を前記駆動回路接続端子にそれぞれ接続する複数の接続配線と、
前記第１の接続電極と、前記第１の抵抗膜及び前記第２の抵抗膜のうちの前記第１の接続電極と対向する抵抗膜とを電気的に接続する導電性部材と、
を前記端子形成基板上に更に具備する、
ことを特徴とする請求項２２に記載のタッチパネル。
【請求項２４】
前記第１の接続電極は、該第１の接続電極と対向する前記第１の抵抗膜の前記第１の軸方向の両端及び前記第２の抵抗膜の前記第２の軸方向の両端のうちの何れか一方の両端部の、長さ方向全体に渡って設けられ、
前記第２の接続電極は、該第２の接続電極が形成されている、前記第１の抵抗膜の前記第１の軸方向の両端及び前記第２の抵抗膜の前記第２の軸方向の両端のうちの何れか一方の両端部の、長さ方向全体に渡って設けられている、
ことを特徴とする請求項２３に記載のタッチパネル。
【請求項２５】
前記シール材と、前記第１の接続電極、前記第２の接続電極及び導電性部材とは、重なり合う位置にあり、
前記第１の抵抗膜及び前記第２の抵抗膜の端部のうちの、前記第１の接続電極または前記第２の接続電極と重なり合う位置にない端部は、前記シール材と重なり合う位置にない、
ことを特徴とする請求項２４に記載のタッチパネル。
【請求項２６】
前記シール材は、接着剤と、前記接着剤中に分散され前記絶縁スペーサが規定する前記第１の透明基板と前記第２の透明基板との間隙に相当する直径を有する導電性粒子と、を有し、
前記導電性部材は、前記導電性粒子である、
ことを特徴とする請求項２５に記載のタッチパネル。